(57)【要約】【課題】屋根に積もった雪の落下を抑制し、屋根への負担も抑制する。【解決手段】縦に並ぶ複数の通穴が空けられ、屋根に葺かれた屋根材の表面に水平方向に間欠的に並置される複数の支持プレートと、長手方向の折目に沿って折り曲げることで縦片と横片とが形成され、縦片及び横片にそれぞれ支持プレートの位置で固定するための留具の軸を通すための長穴が複数間欠的に空けられ、縦片又は横片の何れかが屋根に対して垂立するように、複数の支持プレートの表面を跨ぐように配設されたＬ字アングルと、支持プレートの表面に載置したときに通穴と位置が合うように複数の留穴が空けられ、さらに留具の軸を表面側に突出させるための中穴が空けられ、長手方向の折目に沿って折り曲げることで両端が表面側に突出するように折曲片を形成させて、Ｌ字アングルと複数の支持プレートとの間にそれぞれ介在させるＵ字板と、を有する。【選択図】図１
2018059356.tif 000002
【特許請求の範囲】
【請求項１】
縦に並ぶ複数の通穴が空けられ、屋根に葺かれた屋根材の表面に水平方向に間欠的に並置される複数の支持プレートと、
長手方向の折目に沿って折り曲げることで縦片と横片とが形成され、当該縦片及び横片にそれぞれ前記支持プレートの位置で固定するための留具の軸を通すための長穴が複数間欠的に空けられ、当該縦片又は横片の何れかが前記屋根に対して垂立するように、複数の前記支持プレートの表面側を跨ぐように配設されたＬ字アングルと、
前記支持プレートの表面に載置したときに前記通穴と位置が合うように複数の留穴が空けられ、さらに前記留具の軸を表面側に突出させるための中穴が空けられ、長手方向の折目に沿って折り曲げることで両端が表面側に突出するように折曲片を形成させて、前記Ｌ字アングルと複数の前記支持プレートとの間にそれぞれ介在させるＵ字板と、を有し、
前記留穴から前記通穴及び前記屋根材まで固定具を貫通させることで、複数の前記Ｕ字板及び前記支持プレートがそれぞれ前記屋根の垂木に固定され、前記中穴からいずれかの前記長穴まで前記留具の軸を通して留めることで、前記Ｌ字アングルが複数の前記Ｕ字板及び前記支持プレートに固定される、
ことを特徴とする雪止め部材。
【請求項２】
前記支持プレートは、縦に並ぶ複数の通穴がジグザグ状にずらして空けられる、
ことを特徴とする請求項１に記載の雪止め部材。
【請求項３】
前記支持プレートは、前記屋根材に横方向に引いた位置決め線に合わせるための横目印と、前記屋根の垂木の位置に合わせるための縦目印と、が付けられる、
ことを特徴とする請求項１又は２に記載の雪止め部材。
【請求項４】
前記支持プレートは、前記Ｌ字アングルで受け止めた雪が溶けたときに、前記Ｕ字板によって前記Ｌ字アングルとの間に確保された間隙へ流れるように、左上及び右上の角を斜めに切り欠いた傾斜辺が形成される、
ことを特徴とする請求項１乃至３の何れか一に記載の雪止め部材。
【請求項５】
前記Ｕ字板は、前記支持プレートの表面側に突出する突起に係止するための切欠きが空けられる、
ことを特徴とする請求項１乃至４の何れか一に記載の雪止め部材。
【請求項６】
前記Ｕ字板は、前記留具の軸を前記中穴に通したときに、前記留具の頭が裏面側に収まるように、前記中穴の縁が裏面側から表面側に向けて盛り上げられ、前記折曲片が当該縁の盛り上がり及び前記留穴に通される固定具の頭よりも高くなるように形成される、
ことを特徴とする請求項１乃至５の何れか一に記載の雪止め部材。
【請求項７】
前記Ｌ字アングルは、前記縦片と前記横片の幅が異なり、屋根の設置物の高さに応じて前記縦片と前記横片とを入れ替えて設置される、
ことを特徴とする請求項１乃至６の何れか一に記載の雪止め部材。
【発明の詳細な説明】
【技術分野】
【０００１】
本発明は、屋根に積もった雪が落下するのを抑制する雪止め部材に関する。
【背景技術】
【０００２】
豪雪地帯ほどではないが冬に数回の積雪がある地域においては、屋根に雪止めを設置していない場合もあり、積雪のあったときに屋根から雪が落下して、屋根の下にあるものに被害を及ぼすことがある。雪がむやみに落下すると非常に危険なため、屋根に雪止めを設置する場合もあるが、最近は屋根にソーラーパネル等を設置するケースも増えており、ソーラーパネルを設置するための金具を利用して雪止めを取り付けている（特許文献１〜７参照）。
【先行技術文献】
【特許文献】
【０００３】
【特許文献１】特開２００１−７７３９４号公報
【特許文献２】特開２００５−１６０４９号公報
【特許文献３】特開２０１１−５８２５４号公報
【特許文献４】特許第５７２８１０７号公報
【特許文献５】実開平５−７８２６号公報
【特許文献６】実用新案登録第２５４０４４２号公報
【特許文献７】実用新案登録第３０５８７４９号公報
【発明の概要】
【発明が解決しようとする課題】
【０００４】
しかしながら、雪止めをソーラーパネル等の設置物に掛けるように取り付けた場合、雪止めで雪を受け止めたときの荷重が設置物にも掛かり、設置物を支持する屋根自体にも大きな負担が掛かる。また、設置物の表面が平滑であると、設置物の上を滑った雪が速度を増して勢い良く落下してしまう。なお、設置物により雪の高さが嵩上げされているため、設置物の下方にある雪止めを飛び越えて雪が落下してしまうおそれもある。それにより、屋根の軒先に設けた雨樋などを損傷させる場合もあれば、落下先の人や物に被害を及ぼす可能性もある。
【０００５】
そこで、本発明は、屋根に積もった雪の落下を抑制するとともに屋根への負担も抑制することができる雪止め部材を提供することを目的とする。
【課題を解決するための手段】
【０００６】
上記の課題を解決するために、本発明である雪止め部材は、縦に並ぶ複数の通穴が空けられ、屋根に葺かれた屋根材の表面に水平方向に間欠的に並置される複数の支持プレートと、長手方向の折目に沿って折り曲げることで縦片と横片とが形成され、当該縦片及び横片にそれぞれ前記支持プレートの位置で固定するための留具の軸を通すための長穴が複数間欠的に空けられ、当該縦片又は横片の何れかが前記屋根に対して垂立するように、複数の前記支持プレートの表面側を跨ぐように配設されたＬ字アングルと、前記支持プレートの表面に載置したときに前記通穴と位置が合うように複数の留穴が空けられ、さらに前記留具の軸を表面側に突出させるための中穴が空けられ、長手方向の折目に沿って折り曲げることで両端が表面側に突出するように折曲片を形成させて、前記Ｌ字アングルと複数の前記支持プレートとの間にそれぞれ介在させるＵ字板と、を有し、前記留穴から前記通穴及び前記屋根材まで固定具を貫通させることで、複数の前記Ｕ字板及び前記支持プレートがそれぞれ前記屋根の垂木に固定され、前記中穴からいずれかの前記長穴まで前記留具の軸を通して留めることで、前記Ｌ字アングルが複数の前記Ｕ字板及び前記支持プレートに固定される、ことを特徴とする。
【０００７】
また、前記支持プレートは、縦に並ぶ複数の通穴がジグザグ状にずらして空けられる、ことを特徴とする。
【０００８】
また、前記支持プレートは、前記屋根材に横方向に引いた位置決め線に合わせるための横目印と、前記屋根の垂木の位置に合わせるための縦目印と、が付けられる、ことを特徴とする。
【０００９】
また、前記支持プレートは、前記Ｌ字アングルで受け止めた雪が溶けたときに、前記Ｕ字板によって前記Ｌ字アングルとの間に確保された間隙へ流れるように、左上及び右上を斜めに切り欠いた傾斜辺が形成される、ことを特徴とする。
【００１０】
また、前記Ｕ字板は、前記支持プレートの表面側に突出する突起に係止するための切欠きが空けられる、ことを特徴とする。
【００１１】
また、前記Ｕ字板は、前記留具の軸を前記中穴に通したときに、前記留具の頭が裏面側に収まるように、前記中穴の縁が裏面側から表面側に向けて盛り上げられ、前記折曲片が当該縁の盛り上がり及び前記留穴に通される固定具の頭よりも高くなるように形成される、ことを特徴とする。
【００１２】
また、前記Ｌ字アングルは、前記縦片と前記横片の幅が異なり、屋根の設置物の高さに応じて前記縦片と前記横片とを入れ替えて設置される、ことを特徴とする。
【発明の効果】
【００１３】
本発明によれば、屋根に積もった雪の落下を抑制するとともに屋根への負担も抑制することができる。雪止め部材が設置物を介さず屋根に直接固定されるので、屋根への負担を軽減することができる。雪止め部材の設置地域の積雪状況に応じて、雪止め部材の高さや設置物からの位置を任意に決められるので、効果的に雪の落下を抑制することができる。それによって、屋根の下を通行する人や屋根の下に存在する物への被害も無くすことができる。
【図面の簡単な説明】
【００１４】
【図１】本発明である雪止め部材を屋根に設置した建物の斜視図である。
【図２】本発明である雪止め部材を設置した屋根の斜視図である。
【図３】本発明である雪止め部材の取付位置を説明する図である。
【図４】本発明である雪止め部材の支持プレートの平面図である。
【図５】本発明である雪止め部材のＵ字板の斜視図である。
【図６】本発明である雪止め部材のＵ字板に留具を通した状態を示す斜視図である。
【図７】本発明である雪止め部材のＬ字アングルの斜視図である。
【図８】本発明である雪止め部材を屋根に設置するときの準備工程を示す図である。
【図９】本発明である雪止め部材を屋根に設置するときの取付工程を示す図である。
【図１０】本発明である雪止め部材を屋根に設置するときの配置工程を示す図である。
【発明を実施するための形態】
【００１５】
以下に、本発明の実施形態について図面を参照して詳細に説明する。なお、同一機能を有するものは同一符号を付け、その繰り返しの説明は省略する場合がある。
【実施例１】
【００１６】
まず、本発明である雪止め部材の構造について説明する。なお、建物から外側を向いている面（外側から見える面）を表面とし、その反対側を裏面とする。また、屋根の大棟側を上、軒先側を下とする。図１は、雪止め部材を屋根に設置した建物の斜視図である。図２は、雪止め部材を設置した屋根の斜視図である。図３（ａ）は、雪止め部材の屋根への取付位置を説明するための斜視図であり、図３（ｂ）は、その断面図である。
【００１７】
図１に示すように、雪止め部材２００は、建物１００の屋根１１０に設置される。雪止め部材２００は、屋根１１０に積もった雪が落下しないように、軒先側に取り付けられる。屋根１１０の表面にはスレート瓦などの屋根材１３０が葺かれており、雪止め部材２００が、屋根材１３０に直接固定される。なお、屋根１１０にソーラーパネル等の設置物１２０がある場合でも、雪止め部材２００は設置物１２０の下側に、設置物１２０とは独立して取り付けられる。
【００１８】
図２に示すように、雪止め部材２００は、支持プレート３００、Ｕ字板４００、留具５００、及びＬ字アングル６００等を有する。支持プレート３００は、複数が所定の間隔を置いて屋根材１３０の表面に貼着される。Ｕ字板４００は、支持プレート３００の表面にそれぞれ貼着される。Ｌ字アングル６００は、複数の支持プレート３００及びＵ字板４００の表面側を跨ぐように載置される。留具５００は、複数のＵ字板４００とＬ字アングル６００とを固定する。
【００１９】
図３に示すように、支持プレート３００及びＵ字板４００は、屋根材１３０を貫通させて屋根１１０の垂木１７０までビス等の固定具５５０を通すことにより固定される。図３（ａ）に示すように、支持プレート３００は、垂木１７０の位置に合わせて、屋根材１３０の表面に取り付けられる。垂木１７０は、屋根１１０の大棟から軒先まで渡された構造材であり、屋根１１０の左端から右端まで一定間隔ごとに配置される。
【００２０】
図３（ｂ）に示すように、支持プレート３００及びＵ字板４００は、屋根材１３０への貼着に加え、垂木１７０への固定により、雪止め部材２００の雪の重みに対する強度を向上させる。
【００２１】
次に、雪止め部材の各構成について説明する。図４（ａ）は、支持プレートの通穴が直線状の場合の平面図であり、図４（ｂ）は、支持プレートの通穴がジグザグ状の場合の平面図である。図５（ａ）は、Ｕ字板の表面側の斜視図であり、図５（ｂ）は、Ｕ字板の裏面側の斜視図である。図６（ａ）は、Ｕ字板に留具を通した状態の表面側の斜視図であり、図６（ｂ）は、Ｕ字板に留具を通した状態の裏面側の斜視図である。図７は、Ｌ字アングルの斜視図である。
【００２２】
図４に示すように、支持プレート３００は、屋根１１０に設置した雪止め部材２００を支持するための金属等の板材である。支持プレート３００の材質として、例えば、縦及び横の長さが約２０ｃｍ、厚さが約２ｍｍの金属板を使用する。具体的には、亜鉛、アルミニウム及びマグネシウムを溶融メッキした鋼板などを用いれば良い。
【００２３】
支持プレート３００には、上から下へ縦に並ぶ複数の通穴３１０が空けられる。通穴３１０は、例えば、中央を避けて、中央より上側に２つ、下側に２つ貫通させれば良い。通穴３１０は、図４（ａ）に示すように、通穴３１０を一直線上に揃えて空けても良い。なお、通穴３１０は、屋根１１０の垂木１７０にビス止めする位置に空けるので、垂木１７０の割れを防ぐために、図４（ｂ）に示すように、ジグザグ状にずらして空けても良い。
【００２４】
支持プレート３００の表面には、Ｕ字板４００が載置される。Ｕ字板４００は通穴３１０に被せるように配置されるので、Ｕ字板４００の位置を固定するために、支持プレート３００の表面に突起３２０を設ける。突起３２０は、一番上の通穴３１０の上側と、一番下の通穴３１０の下側に、それぞれ突出させて、Ｕ字板４００を係止させれば良い。
【００２５】
支持プレート３００は、複数が横方向に一直線上に並ぶように間欠的に配置されるので、例えば、隣と縦方向にずれがないように位置を合わせるための位置決め線などを屋根材１３０に引く。支持プレート３００には、位置決め線などに合わせるために、左右両端にそれぞれ横方向の目印３３０を付ける。
【００２６】
また、支持プレート３００は、屋根１１０に一定間隔ごとに並んでいる垂木１７０の位置に取り付けることで、それぞれが等間隔で配置される。支持プレート３００には、垂木１７０の位置に合わせるために、上下両端にそれぞれ縦方向の目印３３０ａを付ける。
【００２７】
支持プレート３００を屋根１１０に取り付けると、支持プレート３００の厚みの分だけ屋根材１３０から段差が生じる。雨や雪が溶けたときの水が下へ流れやすくなるように、支持プレート３００の左上及び右上の角をそれぞれ斜めに切り欠いて傾斜辺３４０を形成する。傾斜辺３４０は、例えば、約１５度の傾きで設ければ良い。
【００２８】
支持プレート３００は、金属板であるので、左上、右上、左下及び右下の各角が尖っていると設置作業時に作業者やその他の物を傷付けるおそれがある。支持プレート３００の各角を面取りして丸め角３５０にすることにより安全性を確保する。
【００２９】
支持プレート３００は、屋根材１３０に接着材などで貼着される。支持プレート３００の裏面には、ブチルゴムなどの防水テープを付ける。なお、支持プレート３００を屋根材１３０に貼着することにより、屋根１１０の垂木１７０へのビス止めを補強する。
【００３０】
図５に示すように、Ｕ字板４００は、支持プレート３００とＬ字アングル６００との間に介在し、Ｌ字アングル６００を屋根材１３０から浮かせて保持するための金属等の板材である。Ｕ字板４００の材質は、支持プレート３００と同じものを使用すれば良い。
【００３１】
Ｕ字板４００には、上から下へ縦に並ぶ複数の留穴４１０が空けられる。留穴４１０は、屋根１１０の垂木１７０にビス止めする位置に空けるので、支持プレート３００の通穴３１０と対応した位置に空けられる。すなわち、Ｕ字板４００を支持プレート３００の表面に載置したときに、全ての留穴４１０が通穴３１０と位置が合い、Ｕ字板４００の表面から支持プレート３００の裏面まで貫通すれば良い。
【００３２】
また、Ｕ字板４００を支持プレート３００の表面に載置するに際して、位置ずれが生じないように支持プレート３００に設けた突起３２０に合わせて、Ｕ字板４００に切欠き４２０を形成する。切欠き４２０は、上下両端にそれぞれ突起３２０が係止され、Ｕ字板４００の位置が固定されるように設ければ良い。
【００３３】
Ｕ字板４００には、Ｌ字アングル６００を固定するための留具５００の軸を通すための中穴４３０が空けられる。中穴４３０は、通穴３１０及び留穴４１０を空けるのを避けた場所であるＵ字板４００の中央に空ければ良い。なお、中穴４３０の周囲の穴縁４４０は、図５（ａ）に示すように、表面側が盛り上がっており、図５（ｂ）に示すように、裏面側が窪んでいる。
【００３４】
Ｕ字板４００は、縦長の板材の左右両端側にそれぞれ長手方向に延びる折目４５０に沿って、両端が表面側に突出するように折り曲げられることで、断面形状が高さの低いＵ字状になるように、両側にそれぞれ折曲片４６０が形成される。折曲片４６０の高さだけＬ字アングル６００が屋根材１３０から浮かされる。
【００３５】
図６に示すように、Ｕ字板４００には留具５００が通される。留具５００は、軸と頭を有するボルト５１０、ナット５２０、環状のワッシャー５３０やスプリングワッシャー５４０等からなる。留具５００の材質としては、ステンレス等を用いれば良い。Ｕ字板４００の裏面側から表面側に向けてボルト５１０の軸を中穴４３０に通し、表面側からワッシャー５３０やスプリングワッシャー５４０等を介した上で、Ｌ字アングル６００を通してナット５２０で締めることにより固定する。
【００３６】
ボルト５１０の頭は中穴４３０を通らず、ボルト５１０の頭が裏面側に出ることになるので、図６（ｂ）に示すように、Ｕ字板４００を支持プレート３００に載置する際の邪魔とならないように、裏面側で窪んでいる穴縁４４０にボルト５１０の頭を収める。Ｕ字板４００の裏面側の平坦さが維持される。なお、Ｕ字板４００と支持プレート３００の間も、接着材などで貼着しても良い。
【００３７】
ボルト５１０にＬ字アングル６００を通した上でナット５２０を螺合するが、Ｌ字アングル６００は折曲片４６０と接することになる。図６（ａ）に示すように、表面側に盛り上がる穴縁４４０や、留穴４１０に通すビス止めする際の固定具の頭などが折曲片４６０の高さ以内に収まるようにする。
【００３８】
表面側に盛り上がる穴縁４４０とＬ字アングル６００との間にワッシャー５３０やスプリングワッシャー５４０等を介在させることで、Ｌ字アングル６００の固定を安定させる。特に、スプリングワッシャー５４０を使用することで、ナット５２０で締めたときに緩みにくくする。
【００３９】
図７に示すように、Ｌ字アングル６００は、雪を受け止めるための金属等の板材である。Ｌ字アングル６００の材質は、支持プレート３００と同じものを使用すれば良い。Ｌ字アングル６００は、横長の板材の長手方向に延びる折目６１０に沿って折り曲げることで縦片６２０と横片６３０とが形成される。
【００４０】
Ｌ字アングル６００は、縦片６２０又は横片６３０の何れか一方がＵ字板４００の表面に載置され、他方が屋根材１３０に対して垂直となるように表面側に立てられる。折目６１０から縦片６２０又は横片６３０の端まで（短手方向）の幅は、縦片６２０と横片６３０とで異なる。垂立させる高さを４段階で選択する場合は、例えば、Ｌ字アングル６００の長さを約３ｍとしたとき、縦片６２０の幅が５ｃｍ、横片６３０の幅が６ｃｍのＬ字アングル６００と、縦片６２０の幅が７ｃｍ、横片６３０の幅が８ｃｍのＬ字アングル６００を予め用意すれば良い。
【００４１】
１本のＬ字アングル６００に対して、複数の支持プレート３００及びＵ字板４００を使用して固定する。Ｌ字アングル６００の縦片６２０及び横片６３０には、留具５００を通すための長穴６４０が貫通する。長穴６４０は、支持プレート３００及びＵ字板４００と同じ間隔で複数設けられる。例えば、屋根１１０の垂木１７０の間隔である４５５ｍｍごとに空けられる。留具５００は一定間隔でＵ字板４００から表面側に突出しているが、ズレを微調整するために、長穴６４０は横方向に長くする（例えば、約３ｃｍ）。
【００４２】
次に、雪止め部材の屋根への設置について説明する。図８（ａ）は、雪止め部材を屋根に設置する準備として、屋根材に貫通孔を空ける工程を示す図であり、図８（ｂ）は、貫通孔を空けた状態を示す図である。図９（ａ）は、屋根材に支持プレート及びＵ字板を取り付ける工程を示す図であり、図９（ｂ）は、支持プレート及びＵ字板を取り付けた状態を示す図である。図１０（ａ）は、支持プレート及びＵ字板にＬ字アングルを配置する工程を示す図であり、図１０（ｂ）は、Ｌ字アングルを配置した状態を示す図である。
【００４３】
図８に示すように、雪止め部材２００を屋根１１０に設置する準備工程として、支持プレート３００を取り付ける位置を決め、屋根１１０の垂木１７０にビス止めをするための貫通孔１５０を屋根材１３０に空ける。支持プレート３００の代わりに、支持プレート３００と同じサイズで、軽量な樹脂製などのプレート型３７０を使用しても良い。
【００４４】
まず、複数の支持プレート３００を一直線上に揃えるために、位置決め線１４０を屋根材１３０に引く。図８（ａ）に示すように、垂木１７０の位置ごとにプレート型３７０の位置合わせ用目印３８０を位置決め線１４０に合わせて、プレート型３７０を屋根材１３０の表面に当てる。プレート型３７０の通穴３９０からドリル等を使用して、図８（ｂ）に示すように、屋根材１３０に貫通孔を空ける。
【００４５】
図９に示すように、雪止め部材２００を屋根１１０に設置する取付工程として、支持プレート３００とＵ字板４００を屋根材１３０に取り付ける。Ｕ字板４００には留具５００が表面側に突出するように通しておき、Ｕ字板４００を支持プレート３００の表面に載置する。Ｕ字板４００の切欠き４２０に支持プレート３００の突起３２０を嵌合することで、Ｕ字板４００の留穴４１０と支持プレート３００の通穴３１０とが貫通する。
【００４６】
図９（ａ）に示すように、支持プレート３００の目印３３０を位置決め線１４０に合わせて、支持プレート３００を屋根材１３０の表面に載置すると、Ｕ字板４００の留穴４１０と支持プレート３００の通穴と貫通孔１５０とが繋がった状態となる。支持プレート３００の裏面の接着材３６０を使用して、支持プレート３００を屋根材１３０に貼着する。
【００４７】
さらに、ビス等の固定具５５０を留穴４１０及び通穴３１０から貫通孔１５０を通して垂木１７０にネジ留めする。図９（ｂ）に示すように、支持プレート３００の縁が屋根材１３０に接する部分には、変成シリコン等のコーキング材１６０を隙間に充填することにより防水する。Ｕ字板４００と支持プレート３００の間についても同様である。
【００４８】
図１０に示すように、雪止め部材２００を屋根１１０に設置する配置工程として、Ｌ字アングル６００を支持プレート３００及びＵ字板４００に固定する。図１０（ａ）に示すように、複数の支持プレート３００及びＵ字板４００を垂木１７０の位置ごとに一直線上に並ぶように屋根材１３０に配置する。留具５００は、ボルト５１０の軸からナット５２０を外しておく。
【００４９】
図１０（ｂ）に示すように、ボルト５１０の軸にＬ字アングル６００の縦片６２０又は横片６３０の何れか一方の長穴６４０を通してから、ナット５２０で締結する。なお、屋根１１０に対して垂立している他方については、一方の上側に来ていることが好ましい。複数のＵ字板４００から垂立する各ボルト５１０を、Ｌ字アングル６００に複数空いている長穴６４０にそれぞれ通して固定することにより、Ｌ字アングル６００を屋根材１３０の表面に配置する。
【００５０】
Ｌ字アングル６００と支持プレート３００との間には、Ｕ字板４００が介されているので間隙６５０が生じる。まとまった雪はＬ字アングル６００で受け止められ、間隙６５０からすり抜けるものは少ない。雨や雪溶け水が屋根１１０に溜まってしまうと逆に屋根１１０を痛めることになるので、間隙６５０を通して流す。
【００５１】
１棟の建物１００に設置するときに複数のＬ字アングル６００を使用する場合は、隣接するＬ字アングル６００の端同時を一部重ねて固定しても良い。例えば、横幅が８１７０ｍｍの屋根１１０に垂木１７０が４５５ｍｍの間隔で配置されている場合、４５５ｍｍの間隔で長穴６４０を７つ空けた約３ｍのＬ字アングル６００を３本用意すれば良い。
【００５２】
このように、屋根１１０に積もった雪の落下を抑制するとともに屋根１１０への負担も抑制することができる。雪止め部材２００が設置物１２０を介さず屋根１１０に直接固定されるので、屋根１１０への負担を軽減することができる。雪止め部材２００の設置地域の積雪状況に応じて、雪止め部材２００の高さや設置物１２０からの位置を任意に決められるので、効果的に雪の落下を抑制することができる。それによって、屋根１１０の下を通行する人や屋根の下に存在する物への被害も無くすことができる。
【００５３】
以上、本発明の実施例を述べたが、これらに限定されるものではない。例えば、支持プレート３００には、雪止め部材２００を支持するために屋根材１３０又は垂木１７０に固定するものであれば含まれる。Ｕ字板４００には、雪止め部材２００を屋根材１３０から浮かせて保持するものであれば、Ｕ字状以外の形状のものであっても含まれる。Ｌ字アングル６００には、雪に滑落を受け止めるものであれば、Ｌ字状以外の形状のものであっても含まれる。留具５００には、Ｌ字アングル６００をＵ字板４００又は支持プレート３００に固定するものであれば含まれる。
【００５４】
また、Ｌ字アングル６００が屋根材１３０から浮いていなくても、Ｌ字アングル６００と支持プレート３００の間に間隙６５０が存在すれば、本発明に含まれる。支持プレート３００、Ｕ字板４００、Ｌ字アングル６００の全部又は一部が一体成形されている場合も本発明に含まれる。
【符号の説明】
【００５５】
１００：建物
１１０：屋根
１２０：設置物
１３０：屋根材
１４０：位置決め線
１５０：貫通孔
１６０：コーキング材
１７０：垂木
２００：雪止め部材
３００：支持プレート
３１０：通穴
３１０ａ：通穴
３２０：突起
３３０：目印
３３０ａ：目印
３４０：傾斜辺
３５０：丸め角
３６０：接着材
３７０：プレート型
３８０：位置合わせ用目印
３９０：通穴
４００：Ｕ字板
４１０：留穴
４２０：切欠き
４３０：中穴
４４０：穴縁
４５０：折目
４６０：折曲片
５００：留具
５１０：ボルト
５２０：ナット
５３０：ワッシャー
５４０：スプリングワッシャー
５５０：固定具
６００：Ｌ字アングル
６１０：折目
６２０：縦片
６３０：横片
６４０：長穴
６５０：間隙
【図１】
2018059356.tif 000003
【図２】
2018059356.tif 000004
【図３】
2018059356.tif 000005
【図４】
2018059356.tif 000006
【図５】
2018059356.tif 000007
【図６】
2018059356.tif 000008
【図７】
2018059356.tif 000009
【図８】
2018059356.tif 000010
【図９】
2018059356.tif 000011
【図１０】
2018059356.tif 000012